(57)【特許請求の範囲】
【請求項１】
内部に電気音響変換器であるスピーカユニットを有し略円形または略楕円形の平盤状であるスピーカハウジング部と、
弾性を有し前記スピーカハウジング部と連接してスパイラル状に約１回転の略楕円弧を描く耳掛け部とを備え、
前記耳掛け部は前記スピーカハウジング部の側面に連接する連接部と使用者の耳介に懸架する耳介懸架部と前記連接部と前記耳介懸架部とを接続する接続部と前記耳介懸架部の他端である側頭部当接部とよりなり、
前記スピーカハウジング部と前記耳掛け部の連接部とは耳介腔内に収まり、前記接続部が耳介腔から耳介の前方をまわって耳介に懸架する前記耳介懸架部に接続しこの耳介懸架部は側頭部に当接する側頭部当接部に連なり、
前記ハウジング部と前記耳掛け部における連接部、接続部、および耳介懸架部の大部分の厚さの中心はほぼ同一平面上にあり前記耳介懸架部から前記側頭部当接部にかけて前記同一平面から装着時の使用者の側頭部方向へ向かって傾斜していることを特徴とする耳掛け形イヤホン。
【請求項２】
筐体が、
ハウジング部を形成する一つの面と耳掛け部を形成する一つの面とが一体となった第１の個片と、
ハウジング部を形成する他の面と耳掛け部を形成する他の面とが一体となった第２の個片とよりなり、
前記第１の個片と前記第２の個片とがスピーカユニットと前記スピーカユニットに駆動信号を入力する入力コードとを挟んで合体して形成されたことを特徴とする請求項１記載の耳掛け形イヤホン。
【請求項３】
筐体が、
ハウジング部を形成する一つの面と耳掛け部を形成する一つの面とが一体となった第１の個片と、
耳掛け部を形成する他の面となる第２の個片と、
前記ハウジング部の他の面となる第３の個片とよりなり、
前記第１の個片と前記第３の個片とがスピーカユニットを挟んで合体し、
前記第１の個片と前記第２の個片とが前記スピーカユニットに駆動信号を入力する入力コードを挟んで合体して形成されたことを特徴とする請求項１記載の耳掛け形イヤホン。
【発明の詳細な説明】
【０００１】
【発明の属する技術分野】
本発明は携帯用音響機器などに用いられる耳掛け形イヤホンに関する。
【０００２】
【従来の技術】
従来、イヤホンには突起した耳穴挿入部を外耳道に挿入して保持する耳穴挿入形や、また耳介腔内に本体を挿入保持するインナー形イヤホンがあった。
【０００３】
【発明が解決しようとする課題】
耳穴挿入形のイヤホンは耳にはしっかり固定されるが、外耳道における異物感があり、また外耳道に入り込むために衛生上他人の使ったものは避けたいという感覚があった。インナー形イヤホンには耳穴挿入形ほどの異物感はないが、耳介の大きい人には小さくて固定が不安定であったり、耳介の小さな人には無理に押し込まなければならないという不満があった。
【０００４】
また耳穴挿入形にもインナー形にも耳かけの付いたものはあったが、いずれも耳穴挿入による保持や耳介腔内への挿入による保持を補完するものであり、耳かけだけで安定に保持するのは困難であった。
【０００５】
本発明は耳掛け部を持ち、この耳掛け部を耳介に装着固定し耳掛け部の形状と弾性を利用して電気−音響変換部を納めたハウジング部を外耳道入口に対して安定的に当接させる耳掛け形イヤホンを提供するものである。
【０００６】
【課題を解決するための手段】
上記課題を達成するための本発明の耳掛け形イヤホンは、請求項１において、内部に電気音響変換器であるスピーカユニットを有し略円形または略楕円形の平盤状であるスピーカハウジング部と、弾性を有し前記スピーカハウジング部と連接してスパイラル状に約１回転の略楕円弧を描く耳掛け部とを備え、前記耳掛け部は前記スピーカハウジング部の側面に連接する連接部と使用者の耳介に懸架する耳介懸架部と前記連接部と前記耳介懸架部とを接続する接続部と前記耳介懸架部の他端である側頭部当接部とよりなり、前記スピーカハウジング部と前記耳掛け部の連接部とは耳介腔内に収まり、前記接続部が耳介腔から耳介の前方をまわって耳介に懸架する前記耳介懸架部に接続しこの耳介懸架部は側頭部に当接する側頭部当接部に連なり、前記ハウジング部と前記耳掛け部における連接部、接続部、および耳介懸架部の大部分の厚さの中心はほぼ同一平面上にあり前記耳介懸架部から前記側頭部当接部にかけて前記同一平面から装着時の使用者の側頭部方向へ向かって傾斜している構成となっている。
【０００７】
この構成によって使用者の耳に装着したときは、耳掛け部の耳介懸架部と側頭部当接部によって使用者の耳介にしっかりと保持され、ハウジング部とそれに連接する連接部とが耳介腔内に安定に収まり、スピーカユニットからの音響出力を使用者の外耳道へ向けて効率的に放射されることとなる。
【０００８】
また本発明の請求項２の耳掛け形イヤホンは、請求項１のイヤホンにおいて、筐体が、ハウジング部を形成する一つの面と耳掛け部を形成する一つの面とが一体となった第１の個片と、ハウジング部を形成する他の面と耳掛け部を形成する他の面とが一体となった第２の個片とよりなり、前記第１の個片と前記第２の個片とがスピーカユニットと前記スピーカユニットに駆動信号を入力する入力コードとを挟んで合体して形成されたことを特徴とする構成である。
【０００９】
この構成によって請求項１の耳掛け形イヤホンが簡単に構成でき、デザイン的にも優れたものを提供することができる。
【００１０】
さらに本発明の請求項３の耳掛け形イヤホンは、請求項１のイヤホンにおいて、筐体が、ハウジング部を形成する一つの面と耳掛け部を形成する一つの面とが一体となった第１の個片と、耳掛け部を形成する他の面となる第２の個片と、前記ハウジング部の他の面となる第３の個片とよりなり、前記第１の個片と前記第３の個片とがスピーカユニットを挟んで合体し、前記第１の個片と前記第２の個片とが前記スピーカユニットに駆動信号を入力する入力コードを挟んで合体して形成されたことを特徴とするものである。
【００１１】
この構成によって請求項２の効果に加えて、組立をより容易にすることができ、またデザインの自由度を広げることができる。
【００１２】
【発明の実施の形態】
以下本発明の一実施形態の耳掛け形イヤホンについて図面に基づいて説明する。図１（ａ）は本実施形態の耳掛け形イヤホンの正面図、同図（ｂ）は同図（ａ）におけるＡ−Ａ矢視断面図、同図（ｃ）は同図（ａ）におけるＢ−Ｂ矢視断面図、図２（ａ）は同じく裏面図、図２（ｂ）は図２（ａ）におけるＣ−Ｃ矢視断面図、図３は同じく使用者の耳に装着したときの状態を示す斜視図であり、いずれも左耳に装着するものについて図示している。
【００１３】
本実施形態においては、イヤホンの筐体は３個の個片で形成される。図１，図２において、筐体を形成する第１の個片１は、電気−音響変換素子であるスピーカユニット４を内蔵するためのハウジングを形成するハウジング部本体１−１と、それに一体に連接する連接部表１−２と、この連接部表１−２に続いてスパイラル状に約１回転の略楕円弧を描く耳掛け部表１−３が一体に形成されている。ここで、耳掛け部表１−３は、後述する耳掛け部裏と一体となって耳介に装着されることから、弾性を有する合成樹脂を用いて構成している。
【００１４】
ハウジング部本体１−１には適宜スピーカ後部音孔１−４が設けられ、耳掛け部表１−３の端部は入力コード５を引き出すためのコード引き出し部１−５となっている。また、図１（ｂ），（ｃ）の断面図に示すように、連接部１−２から耳掛け部表１−３のほぼ全長にわたって、第２の個片２を両側から挟み込むようにカバーするリブ部１−６を設け、幅の中央部分には入力コード５を通すための溝１−７を設けている。
【００１５】
筐体を形成する第２の個片２は、第１の個片１と同じ材料で構成しており、ハウジング部本体１−１に連接する連接部裏２−１、耳掛け部裏２−２、終端部２−３に至るまで第１の個片１と対向し、かつ耳掛け部表１−３のリブ部１−６に挟み込まれて一体化されるようになっている。
【００１６】
筐体を形成する第３の個片であるハウジング蓋３は図２に示すようにハウジング部本体１−１の凹部にリブ３−１で嵌入できるようになっていて、このハウジング蓋３はスピーカユニット４の前面を覆い、細かい音孔３−２が多数設けられている。この部分は弾性を持つ必要はなく、たとえば金属板でもよいが、組立を超音波溶着で行うためには第１、第２の個片と同様な材料を用いる必要がある。
【００１７】
以上のような部品からなり、組み立て方としてはスピーカユニット４に入力コード５を接続し、スピーカユニット４を第１の個片１のハウジング部本体１−１の凹部１−８に納め、入力コード５を溝１−７に押し込む。図示しないが、入力コード５の他端には音響機器と接続するためのプラグを取り付けておく。
【００１８】
ハウジング部本体１−１の凹部１−８には、ハウジング蓋３のリブ３−１を押し込んで仮止めし、リブ部１−６の間に耳掛け部裏２−２を嵌入し、片面から第１の個片１に当接するように治具を当て、他の片面から第２，第３の個片２，３に治具を当てて、超音波溶着によって一体化する。一体化は溶剤の処理がうまくできれば接着でもよく、また強度が持つならば両面接着テープを用いてもよい。または図１（ｂ）に図示するようにハウジング本体部１−１の凹部１−８側面の凹所１−９と、ハウジング蓋３のリブ３−１の突起３−３との嵌め合わせで固定してもよい。または第３の個片３が金属板の場合は、この個片だけ接着、嵌め合わせまたはビス止めなどで固定してもよい。
【００１９】
このようにして組み立てられた本実施形態の耳掛け形イヤホンは、ハウジング部が略円形または楕円形の円盤状であり、耳掛け部が図１、図２のようにハウジング部本体１−１に連接する連接部Ｄから始まって、連接部Ｄに続く接続部Ｅ、さらに耳介懸架部Ｆを経て、側頭部当接部Ｇまでスパイラル状に約１回転余の略楕円弧を描いて広がっている。ハウジング部と耳掛け部における連接部Ｄ、接続部Ｅ、および耳介懸架部Ｆの大部分の厚さの中心はほぼ同一平面上にあり耳介懸架部Ｆから側頭部当接部Ｇにかけて上記同一平面から装着時の使用者の側頭部方向へ向かって傾斜していることが特徴となっている。
【００２０】
耳掛け部は図示のように幅に比べて厚さを薄く形成すれば、デザイン的に良好である。この各部の役割は図示のようにはっきりと区別されている訳でなく、耳介懸架部Ｆは耳介に直接接触する部分を指し、他はその前後の部分を指しているものとする。
【００２１】
組み立てたものを耳に装着するときは、接続部Ｅと側頭部当接部Ｇとの間で耳介の上部を挟むように下方へ向けて回動させながら降ろしていくと耳介にかかる。最終的には側頭部当接部の端部の「く」の字状に曲がったコード引き出し部１−５がほぼ垂直になる位の角度で、最も安定に装着できる。このとき、ハウジング部本体１−１と連接部Ｄとはほぼ耳介腔内部に収まり、接続部Ｅは耳介の前方から上部に向かって接続されており、耳介懸架部Ｆは、耳介に懸架されている。そうして側頭部当接部Ｇは側頭部側に向けて傾斜しているので、使用者の側頭部が、あごにかけて狭くなっているのに対応して、側頭部を押さえつけるような形となってハウジング本体部１−１を安定に耳介腔内に保持することができる。そのためハウジング蓋３の音孔３−２から発生した、スピーカユニット４の音響出力は使用者の外耳道に向けて効率的に放射される。
【００２２】
なお、上記では筐体は３個の個片で構成するように説明してきたが、第２と第３の個片を一体に形成しておき、２つの個片で構成することもできる。この場合組み立て方としてはスピーカユニット４に入力コード５を接続し、スピーカユニット４を第１の個片１のハウジング部本体１−１の凹部に納め、入力コード５を溝１−７に押し込んだ後、第２の個片を合わせて超音波溶着によって一体化すればよい。
【００２３】
またこの実施形態では入力コードを耳掛け部の中を通して終端から引き出したが、ハウジング部から引き出したり、耳掛けの途中から引き出しても差し支えない。
【００２４】
さらにこの実施形態では左耳に装着する片耳のものについて説明したが、右耳用もこれと面対称に形成すればよく、両耳分を１組にしてステレオ用とすることができる。その例を示すのが、図４であり、同図において、１ａは左耳用のイヤホン、１ｂは右耳用のイヤホンであり、それぞれの入力コード５，５が途中で一体化されて、先端にプラグ６を備えている。
【００２５】
【発明の効果】
以上説明したように本発明の耳掛け形イヤホンは、請求項１の構成において耳介懸架部と側頭部当接部によって耳掛け部をしっかりと耳介と側頭部に取り付けハウジング部を安定に耳介腔内に保持することができ、そのためハウジング部内に納めたスピーカユニットの音響出力は使用者の外耳道に向けて効率的に放射されるという有利な効果が得られる。
【００２６】
また請求項２，３の構成によって請求項１の構成を簡単に組み立てられ、かつデザイン的にも優れた耳掛け形イヤホンを提供できるものである。
【図面の簡単な説明】
【図１】（ａ）本実施形態の耳掛け形イヤホンの正面図
（ｂ）同図（ａ）におけるＡ−Ａ矢視断面図
（ｃ）同図（ａ）におけるＢ−Ｂ矢視断面図
【図２】（ａ）同じく裏面図
（ｂ）同図２（ａ）におけるＣ−Ｃ矢視断面図
【図３】同使用者の耳に装着したときの状態を示す斜視図
【図４】同左右のイヤホンを示す説明図
【符号の説明】
１  第１の個片
１−１  ハウジング部本体
１−２  連接部
１−３  耳掛け部表
１−４  スピーカ後部音孔
１−５コード引き出し部
１−６  リブ部
１−７  溝
１−８  凹部
１−９  凹所
２  第２の個片
２−１  連接部裏
２−２耳掛け部裏
２−３  終端部
３  第３の個片であるハウジング蓋
４  スピーカユニット
５  入力コード
【図１】
0004439718.tif 000002
【図２】
0004439718.tif 000003
【図３】
0004439718.tif 000004
【図４】
0004439718.tif 000005